(57)【要約】本発明は実質的に平面状のボディ（１０）を有するベルト取付けツール（１００）を備える。ベルト係合面（２０）は平面状ボディ（１０）の一部から実質的に垂直に延びる。プーリ係合面（３０）は、ベルト係合面（２１）とほぼ反対側の平面状ボディ（１０）から延びる。中心ボア（４０）はツールがプーリ軸に係合することを許容する。使用時に、プーリ係合面はプーリに係合し、これによりツール（１００）がプーリの回転によってプーリ軸の周りに回転して、ベルト係合面（２１）が自動的にベルトをプーリに押込む。平面状ボディ（２１）は、ベルトが取付けられるときに、プーリに対してツールを安定させる。成型されたボディは射出成形により製造されてもよい。
2006502350.tif 000002
【特許請求の範囲】
【請求項１】
第１ボディ面および第２ボディ面を有する平面状ボディと、
第１ボディ面から実質的に垂直に突出するベルト係合部と、
第２ボディ面から実質的に垂直に突出するプーリ係合部とを備え、
ベルト係合部とプーリ係合部が平面状ボディの反対側に設けられる
ツール。
【請求項２】
中心ボアをさらに有する請求項１に記載のツール。
【請求項３】
ベルト係合部が実質的に円弧形状を有する面をさらに備える請求項１に記載のツール。
【請求項４】
ベルトをプーリ溝の中に押し込むための、半径方向に延びる突起をさらに備える請求項３に記載のツール。
【請求項５】
プーリ係合部が円弧状の面をさらに備える請求項４に記載のツール。
【請求項６】
中心ボアの縁の周りにリムをさらに備える請求項２に記載のツール。
【請求項７】
非金属材料をさらに備える請求項４に記載のツール。
【請求項８】
金属材料をさらに備える請求項４に記載のツール。
【請求項９】
ベルト係合部を補強するための部材をさらに備える請求項４に記載のツール。
【請求項１０】
平面状ボディが実質的に円形である請求項４に記載のツール。
【請求項１１】
平面状ボディに実質的に垂直に延びるリップをさらに備え、リップがプーリリムに係合可能である請求項４に記載のツール。
【発明の詳細な説明】
【技術分野】
【０００１】
本発明はベルト取付けツールに関し、特に、ベルトを取付けるための平面に垂直な円弧状面を有する、成型されたボディを備えるベルト取付けツールに関する。
【背景技術】
【０００２】
ベルトドライブシステムは一般に、２つ以上のプーリの周りに架け回されるベルトを備える。被駆動プーリから駆動プーリへトルクすなわち動力を適切に伝達するために、ベルトは所定の張力で取付けられなければならない。これは様々な方法の１つによって達成され得る。１つの方法は、緩んだベルトを係合させるために、まずプーリの中心を調節し、次いでプーリの中心を動かすことによって張力を与えることから成る。
【０００３】
他の方法は、プーリの中心を動かすことなく、プーリリムの周りにベルトを巻くことである。この方法は、ベルトをプーリに係合させるためのツールを用いて達成される。ベルトをプーリ溝に押し込むための面を備える従来技術のツールが利用可能である。
【０００４】
従来技術の代表は、プーリに伸縮ベルトを取付けるためのツールを開示したウィニンガー（Winninger）に付与された米国特許第６，０３３，３３１号明細書(２０００年)である。
【０００５】
必要なものは、ベルト係合部とは反対側に延びるツールアクセス部を有する成型されたボディを備えるベルト取付けツールである。必要なものは、平面に垂直な円弧状ベルト係合面を有する成型されたボディを備えるベルト取付けツールである。必要なものは、軽量平面状ボディを有するベルト取付けツールである。本発明はこれらのニーズに合致する。
【発明の開示】
【発明が解決しようとする課題】
【０００６】
本発明の主な特徴は、ベルト係合部とは反対側に延びるツールアクセス部を有する成型されたボディを備えるベルト取付けツールを提供することである。
【０００７】
本発明の他の特徴は、平面に垂直な円弧状ベルト係合面を有する成型されたボディを備えたベルト取付ツールを提供することである。
【０００８】
本発明の他の特徴は、軽量平面状ボディを有するベルト取付けツールを提供することである。
【０００９】
本発明の他の特徴は、本発明の後述の説明と添付図面により示され、明らかにされる。
【００１０】
本発明は実質的に平面状ボディを有するベルト取付けツールを備える。ベルト係合面は平面状ボディの一部から実質的に垂直に延びる。プーリ係合部はベルト係合面のほぼ反対側の平面状ボディから延びる。中心ボアはツールがプーリ軸に係合することを許容する。使用時に、プーリ係合面はプーリに係合し、これによりツールがプーリの回転によってプーリ軸の周りに回転して、ベルト係合面がベルトを自動的にプーリに押込む。平面状ボディは、ベルトが取付けられるとき、プーリに対してツールを安定させる。成型されたボディは射出成形により製造されてもよい。
【００１１】
明細書に組み込まれて明細書の一部を構成する添付図面は、本発明の好ましい実施形態を示し、記述とともに、本発明の原理を説明するために役立つ。
【発明を実施するための最良の形態】
【００１２】
図1は本発明ツールの平面図である。ツール１００は平面状ボディ１０を備える。平面状ボディ１０は実質的に円形である。
【００１３】
ツール１００はさらに、ベルト押込み部２０とプーリ係合部３０を備える。ツールはまた、レンチのようなツール（図示せず）がプーリ軸（図示せず）に係合することを許容するためのボア４０を備える。
【００１４】
ベルト押込み部２０はベルト係合面２１を備える。面２１は平面状ボディ１０に連結され、平面状ボディ１０から実質的に垂直に延びる。面２１は、リム４１から延びるリブ２３により補強される。リブ２３の使用は、ベルト係合面２１に対して必要な強度を与えるとともに、本発明ツールに要求される材料を減少させる。面２１は、ベルトの取付けの間におけるベルト係合を最適化するために、実質的に円弧形状を有する。
【００１５】
ベルト押込み突起２４はベルト係合面２１から延びる。ベルト押込み突起２４は、ベルト押込み突起２４からリム４１に向かって円弧状に延びるリブ２２に連結され、リブ２２によって補強される。リブ２３は、ベルト押込み突起２４を補強するとともに、本発明ツールに要求される材料を減少させる。
【００１６】
プーリ係合部３０は、ベルト押込み部２０の反対側にある平面状ボディ１０の側にある平面状ボディ面から延びる。プーリ係合面３０は、平面状ボディ１０に対し実質的に垂直に連結されたリム３１を備える。リブ３２はリム３１を補強し、リム４１からリム３１に延びる。リム３１は、ボア４０に同心的である実質的に円形状を有する。
【００１７】
本発明ツールは、軽量金属あるいは非金属、公知のポリマーあるいはプラスチック等のような鋳造可能な材料、およびこれらの均等物であってもよい。
【００１８】
図２は、図１に示されるのと反対側の本発明ツールの平面図である。リップ１１は面２１から延びてプーリリム（図示せず）に係合する。リップ１１はベルト押込み突起２４に近接して設けられ、ベルトの取付けを容易にする。リップ１１は、ベルトが取付けられるときにツールをプーリに一時的に取付けるために、プーリリム（図示せず）に係合する。
【００１９】
図３はツールの側面図である。リブ３２、平面状ボディ１０およびベルト係合面２１が図示されている。リップ１１はプーリリム（図示せず）に係合するために延びる。
【００２０】
図４はツールの側面図である。平面状ボディ１０は、不必要な材料を加えずに意図された機能を発揮するのに十分な厚さを有する。このように、本発明ツールは、自動車エンジンの例えばフロントエンドアクセサリードライブ（ＦＥＡＤ）におけるように、スペースが貴重であるアプリケーションにおいて有益的に用いられる。小さいスペースにおける取付けを許容するツールが良い設計と小さいエンジン室の使用を容易にするので、ＦＥＡＤとエンジンはエンジン室に最小スペースを有するかもしれない。
【００２１】
図５はツールの前面の斜視図である。
【００２２】
図６はツールの背面の斜視図である。タブ１１は使用時にツールを安定化させるためにプーリリムに係合する。使用時に、プーリ係合部３０はプーリボディ（図示せず）に係合し、これにより、ベルトが取付けられるときにツールをプーリと共に回転させる。
【００２３】
ここに本発明のひとつの実施形態が説明されたが、記載された発明の範囲と精神から逸脱することなく、変形が各部の構造と関係に施されることは、当業者にとって自明である。さらに、ここに含まれる記載は単に例示であり、本発明の範囲は従来技術を考慮して解釈される特許請求の範囲のみによって限定される。
【図面の簡単な説明】
【００２４】
【図１】本発明ツールの平面図である。
【図２】図１に示されるのと反対側の本発明ツールの平面図である。
【図３】本発明ツールの側面図である。
【図４】本発明ツールの側面図である。
【図５】本発明ツールの前面の斜視図である。
【図６】本発明ツールの背面の斜視図である。
【図１】
2006502350.tif 000003
【図２】
2006502350.tif 000004
【図３】
2006502350.tif 000005
【図４】
2006502350.tif 000006
【図５】
2006502350.tif 000007
【図６】
2006502350.tif 000008
【国際調査報告】
2006502350.tif 000009
2006502350.tif 000010
2006502350.tif 000011